(57)【要約】【課題】報知情報が制限されることなく、各遊技機の遊技の進行状態に合わせた情報を報知することができ、かつ狭いスペースにおいて左右の聴覚に対してバランスを制御する。【解決手段】音源１２６を球体１０４の軸芯部に配置し、この音源１２６から発する音を一対のコーン１３２を介して球体１０４の表面の開口部１２４へ案内すると共に、球体１０４をモータ１２０の駆動力で回転軸１０８、１１０を中心に回転させるようにしたため、単一の音源、すなわちモノラル音源であっても、音の広がり範囲の変化によるステレオ感を持たせることができる。このため、左右の２カ所にスピーカ設置スペースを設ける必要がなくなり、省スペースでの音量、音質の向上を達成することができる。【選択図】        図３
2004194971.tif 000002
【特許請求の範囲】
【請求項１】
遊技の進行状態を報知するための遊技状態報知領域を備えた前面パネルに対向して着座する遊技者に対して、音響効果によって前記遊技の進行状態を聴覚を通じて報知するスピーカシステムを備えた遊技機であって、
前記前面パネルに、一部が露出状態で配置された球体と、
前記球体の中心に配設された単一の音源、及びこの音源から出力される音を前記球体表面に設けられた複数の開口部へそれぞれ案内する複数のコーンを備えたスピーカ装置と、
前記球体を、所定の軸線を中心に回転可能に支持する支持手段と、
前記球体を前記所定の軸線回りに回転させる回転駆動手段と、
を有する遊技機。
【請求項２】
前記軸線の向きが前記前面パネルに対して上下方向とされ、前記開口部が、当該軸線を中心に回転する前記球体の赤道上に設けられていることを特徴とする請求項１記載の遊技機。
【請求項３】
前記軸線の向きが前記前面パネルに対して上下方向とされ、前記開口部が、当該軸線を中心に回転する前記球体の赤道上における、互いに１８０°相反する方向にそれぞれ設けられていることを特徴とする請求項１記載の遊技機。
【請求項４】
前記支持手段が、複数の軸線に対応してそれぞれ設けられており、かつ、回転駆動手段が、それぞれの軸線回りに独立して回転させることを特徴とする請求項１記載の遊技機。
【発明の詳細な説明】
【０００１】
【発明の属する技術分野】
本発明は、遊技の進行状態を報知するための遊技状態報知領域を備えた前面パネルに対向して着座する遊技者に対して、音響効果によって前記遊技の進行状態を聴覚を通じて報知するスピーカシステムを備えた遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に表示部（通常は液晶表示画面）を設置している。この表示部は、複数の列（例えば３列）の図柄変動パターン画面が構成され（背景画面もある）、この変動する図柄変動パターン演出後に停止したときの図柄の並びで当／外を報知するようになっている。遊技者は、この図柄変動画面を見ることによって、当たりか外れかに一喜一憂するため、期待感を持たせることができる。
【０００４】
このような視覚を通じた演出に加え、パチンコ機にはスピーカが設置されており、前記図柄変動パターン演出に同期しながら音を出力するようにしている（例えば、登場するキャラクタ等の動きにあわせた効果音の出力等）。
【０００５】
このような音響効果は、年々音質の向上が要求されており、これに対応するためには大口径のコーンを持つスピーカが必要となる。また、ステレオ感を出すためには、通常２箇所にスピーカを配設しなければならない。
【０００６】
ところが、パチンコ機の筐体自体に制約があり、かつ遊技盤面を大きくするという設計上の制約もあるため、所望の音質、音量を確保するための大口径スピーカを取り付けることができない。
【０００７】
このため、特許文献１では、ホールの設備として、パチンコ機本体とは別の場所、例えば、パチンコ機上部の台番号表示器や、天井等にスピーカを取り付けることが開示されている。
【０００８】
【特許文献１】
特開平８−１８７３５１号公報
【０００９】
【発明が解決しようとする課題】
しかしながら、特許文献１では、ホール側の設備としてスピーカを取り付けるため、その設備にかかる手間や投資が膨大となり、パチンコ機との電気的接続等が必要であり、実現性が低い。
【００１０】
また、天井に取り付けるスピーカは、各パチンコ機専用にはならないため、それぞれのパチンコ機の遊技の進行状態に合わせた報知情報が限定されることになる。
【００１１】
本発明は上記事実を考慮し、報知情報が制限されることなく、各遊技機の遊技の進行状態に合わせた情報を報知することができ、かつ狭いスペースにおいて左右の聴覚に対してバランスを制御することができる遊技機を得ることが目的である。
【００１２】
【課題を解決するための手段】
請求項１に記載の発明は、遊技の進行状態を報知するための遊技状態報知領域を備えた前面パネルに対向して着座する遊技者に対して、音響効果によって前記遊技の進行状態を聴覚を通じて報知するスピーカシステムを備えた遊技機であって、前記前面パネルに、一部が露出状態で配置された球体と、前記球体の中心に配設された単一の音源、及びこの音源から出力される音を前記球体表面に設けられた複数の開口へそれぞれ案内する複数のコーンを備えたスピーカ装置と、前記球体を、所定の軸線を中心に回転可能に支持する支持手段と、前記球体を前記所定の軸線回りに回転させる回転駆動手段と、を有している。
【００１３】
請求項１記載の発明によれば、球体の中心に単一の音源を設け、この音源から出力された音をコーンを介して球体表面に案内する。球体は、支持手段によって回転可能に支持されており、これを回転駆動手段の駆動力で回転させることで、出力される開口の向きを所望の方向に向けることができる。
【００１４】
この向きによって、遊技者の聴覚（耳）に入る音量、音質等を変化させることができる。
【００１５】
請求項２に記載の発明は、前記請求項１に記載の発明において、前記軸線の向きが前記前面パネルに対して上下方向とされ、前記開口が、当該軸線を中心に回転する前記球体の赤道上に設けられていることを特徴としている。
【００１６】
請求項２に記載の発明によれば、球体の回転軸線を前面パネルの上下方向とすることで、開口は球体の赤道上を移動することになる。すなわち、遊技者から見れば左右に移動することになる。このため、音源から音を出力しながら、球体を回転させることで、音の移動を表現することができ、単一の音源によって左右の聴覚（遊技者の耳）に対して、入力バランスを制御することができ、ステレオ感覚な音を表現することができる。。
【００１７】
請求項３に記載の発明は、前記請求項１に記載の発明において、前記軸線の向きが前記前面パネルに対して上下方向とされ、前記開口が、当該軸線を中心に回転する前記球体の赤道上における、互いに１８０°相反する方向にそれぞれ設けられていることを特徴としている。
【００１８】
請求項３に記載の発明によれば、球体の表面に設ける開口を一対とし、互いに１８０°相反する方向とすることで、ステレオ感をさらに向上することができる。
【００１９】
請求項４に記載の発明は、前記請求項１に記載の発明において、前記支持手段が、複数の軸線に対応してそれぞれ設けられており、かつ、前記回転駆動手段が、それぞれの軸線回りに独立して回転させることを特徴としている。
【００２０】
請求項４に記載の発明によれば、軸線を複数持つことで、球体を３次元的に回転させることができ、音の広がり感をさらに向上することができる。
【００２１】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００２２】
内枠１４には、複数の表示灯６２、６３や固定スピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２３】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２４】
一体皿２６は、その一側部（図１の左辺部）が内枠１４に対して開閉可能に取付けられている。一体皿２６の前面には、左側下部に灰皿２８が配置され、右側下部には発射装置（図示省略）から発射する打球の飛距離を調整するための発射ハンドル３０が設けられている。
【００２５】
また内枠１４の窓部には、遊技盤載置台に載せて交換可能とされた遊技盤３２が窓部に対応して設置されている。
【００２６】
図２に示される如く、遊技盤３２は、外バンド３６及び内バンド３８によって囲まれた略円形状の遊技領域４０が形成されている。
【００２７】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００２８】
ここで、本実施の形態では、一体皿２６の中央部に可動スピーカユニット１００が設けられている。可動スピーカユニット１００は、外観上は、一体皿２６に取り付けられた球面状に突出された網カバー１０２によって覆われている。
【００２９】
図３に示される如く、可動スピーカユニット１００は、球体１０４を主体として構成されている。この球体１０４は、その一部が一体皿２６に設けられた円孔１０６から突出され、その突出面は前記網カバー１０２の球面に沿って配置されている。
【００３０】
この球体１０４の上端及び下端には、同軸上の回転軸１０８、１１０が取り付けられている。
【００３１】
回転軸１０８、１１０は、それぞれブラケット１１２、１１４に軸支されており、このブラケット１１２、１１４は、一体皿２６の裏面側に固定されている。
【００３２】
上端の回転軸１０８には歯車１１６が取付えられ、歯車１１８を介してモータ１２０の回転軸１２０Ａに取り付けられたピニオンギヤ１２２と噛み合っている。
【００３３】
ここで、モータ１２０が駆動すると、その駆動力がピニオンギヤ１２２及び歯車１１８、１１６を介して回転軸１０８に伝達され、球体１０４は、回転軸１０８、１１０を中心に回転する。
【００３４】
球体１０４には、回転軸１０８、１１０を中心とする回転時の赤道上に互いに１８０°相反する位置に一対の開口部１２４（図３では一方のみ図示）が設けられている。
【００３５】
本実施の形態では、球体１０４は、１８０°の範囲で適宜回転するように制御されており、この回転範囲端において、球体１０４に設けられた一対の開口部１２４の軸線がそれぞれ左右を向くように位置決めされている。
【００３６】
図４に示される如く、球体１０４の軸芯には音源１２６が配設されている。この音源１２６は、無線受信装置１２８を備えており、パチンコ機１０に設けられた音声制御基板１３０から出力される無線音声信号を受信して、所定の音を出力するようになっている。
【００３７】
音源１２６には、一対のコーン１３２の基部が取り付けられている。このコーン１３２の先端部は、前記一対の開口部１２４に達しており、これにより、音源１２６から発せられた音は、コーン１３２によって増幅され、一対の開口部１２４から出力されることになる。
【００３８】
ここで、一対の開口部１２４から音が出力されるとき、モータ１２０を駆動することで、開口部１２４の向きが左右方向に変化する。この変化によって、音の広がり範囲が変化するため、パチンコ機１０に対向して着座している遊技者は、音が左右に移動するように聞こえる。すなわち、単一の音源によってステレオ感を持たせることができる構成となっている。
【００３９】
以下に本実施の形態の作用を説明する。
【００４０】
まず、通常遊技の流れを説明する。
【００４１】
遊技者がハンドル３０を把持し、発射のための操作を行なうと、このハンドル操作量（回転量）に応じた強度で、パチンコ球が打ち出される。
【００４２】
パチンコ球が打ち出されると、外バンド３６及び内バンド３８に案内されて盤面３２の釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００４３】
抽選の結果が当りの場合は、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００４４】
ここで、本実施の形態では、上記図柄変動パターンの演出中、視覚的な演出のみならず、聴覚を通じて演出している。
【００４５】
すなわち、内枠１４に設けられた固定スピーカ６４、６６によってステレオで出力されているが、パチンコ機１０に設置スペースがないため、その分臨場感に欠けていた。
【００４６】
そこで、本実施の形態では、一体皿の中央に可動スピーカユニット１００を儲け、前記固定スピーカ６４、６６では達成できなかった臨場感を補填した。
【００４７】
可動スピーカユニット１００は、一体皿２６の幅方向略中央部に位置し、音源１２６は単一のため、モノラルのスピーカユニットである。
【００４８】
しかし、この音源１２６を球体１０４の軸芯部に配置し、互いに１８０°相反する向きで一対のコーン１３２を配置し、球体１０４の表面に設けた一対の開口部１２４から出力すると共に、モータ１２０の駆動力で、球体１０４を回転軸１０８、１１０を中心に回転させるようにした。
【００４９】
このため、開口部１２４から出力される音の広がり範囲が逐次変化することになる。例えば、開口部１２４が左右を向いている初期状態では、左右の音が同等の音量で聞こえるため、結果的に音源１２６が一体皿２６の中央部に位置するように聞こえる。
【００５０】
この状態から、モータ１２０を駆動し、球体１０４を回転（平面視で反時計方向回転）させると、左側の開口部１２４が徐々に遊技者側に向き、右側の開口部１２４が、遊技者とは反対側に向き始める。この開口部１２４の向きの差により音量差が発生し、球体１０４が１８０°回転する間に、見掛け上、音源１２６が左から右へと移動するように聞こえる。モータ１２０を前記とは反対方向に回転（平面視で時計回り方向回転）させた場合は、音源１２６は見掛け上、右から左へと移動するように聞こえる。
【００５１】
このように、音源１２６を球体１０４の軸芯部に配置し、この音源１２６から発する音を一対のコーン１３２を介して球体１０４の表面の開口部１２４へ案内すると共に、球体１０４をモータ１２０の駆動力で回転軸１０８、１１０を中心に回転させるようにしたため、単一の音源、すなわちモノラル音源であっても、音の広がり範囲の変化によるステレオ感を持たせることができる。このため、左右の２カ所にスピーカ設置スペースを設ける必要がなくなり、省スペースでの音量、音質の向上を達成することができる。
【００５２】
なお、本実施の形態では、音声制御基板１３０からの音データを無線通信によって送信し、無線受信装置１２８で受信するようにしたが、回転軸１０８又は１１０を円筒状として有線配線して送信するようにしてもよい。
【００５３】
また、本実施の形態では、可動スピーカユニット１００を固定スピーカ６４、６６との併用とし、この固定スピーカ６４、６６の補助として適用したが、可動スピーカ１００単独設置であっても、十分な音量、音質を確保することができる。これにより、固定スピーカ６４、６６の配置スペースが不要となり、遊技盤面を拡大する等、予期せぬ効果をもたらすことができる。
【００５４】
（変形例）
上記実施の形態では、球体１０４の回転を回転軸１０８、１１０を中心とする１軸回転構造としたが、図５に示される如く、球体１０４を半円弧状（弓状）の第１の支持部材１５０によって回転軸１０８、１１０を介して回転可能に軸支すると共に、当該第１の支持部材１５０における円弧方向中央部から半径方向に突出した回転軸１５０Ａを、前記回転軸１０８、１１０を結ぶ軸線Ｌ１と直交する軸線Ｌ２を中心に回転可能に第２の支持部材１５２によって支持する構造としてもよい（２軸回転構造）。
【００５５】
この場合、回転軸１０８には球体１０４を回転軸Ｌ１を中心に回転させる駆動源１５４（前記モータ１２０と同等）を設け、第１の支持部材１５０の回転軸１５０Ａには第１の支持部材１５０を回転軸Ｌ２を中心に回転させる駆動源１５６を設けることで、球体１０４の表面に設けた開口部１２４を３次元的に変位させることができ、音の広がり範囲をさらに拡大することができる。
【００５６】
なお、この変形例に場合、音データは無線通信、或いは摺動接点等を用い、球体１０４の３次元的な回転に対応できる配線が必要となる。
【００５７】
【発明の効果】
以上説明した如く本発明では、報知情報が制限されることなく、各遊技機の遊技の進行状態に合わせた情報を報知することができ、かつ狭いスペースにおいて左右の聴覚に対してバランスを制御することができるという優れた効果を有する。
【図面の簡単な説明】
【図１】本実施の形態に係るパチンコ機の正面図である。
【図２】本実施の形態に係る遊技機の正面図である。
【図３】図１のＩＩＩ−ＩＩＩ線断面図である。
【図４】図３のＩＶ−ＩＶ線断面図である。
【図５】変形例に係る可動スピーカユニットの図１のＩＩＩ−ＩＩＩ線に対応する断面図である。
【符号の説明】
１０    パチンコ機
２６    一体皿
３２    遊技盤
４２    センター役物
４３    特別図柄表示装置
４６    始動口
６４、６６    固定スピーカ
１００    可動スピーカユニット（スピーカ装置）
１０４    球体
１０８、１１０    回転軸
１１２、１１４    ブラケット（支持手段）
１２０    モータ（回転駆動手段）
１２４    開口部
１２６    音源
１２８    無線受信装置
１３０    音声制御基板
１３２    コーン
【図１】
2004194971.tif 000003
【図２】
2004194971.tif 000004
【図３】
2004194971.tif 000005
【図４】
2004194971.tif 000006
【図５】
2004194971.tif 000007